(57)【要約】【課題】フレームと原稿押え板との着脱が容易であると共にフレームに対する原稿押え板の配置の自由度を向上させる。【解決手段】コンタクトガラス面上に載置された原稿の画像情報を取得して当該画像情報に基づく画像形成を行う画像形成装置であって、上記原稿を上記コンタクトガラス面に押し付ける原稿押え板２ｄと、該原稿押え板２ｄを支持すると共に画像形成装置の本体に対して開閉可能に設置されるフレーム部２ｃと、上記原稿押え板２ｄを上記フレーム部２ｃに対して着脱可能とする吸着パッド２ｅとを備える。【選択図】図３
2009134133.tif 000002
【特許請求の範囲】
【請求項１】
コンタクトガラス面上に載置された原稿の画像情報を取得して当該画像情報に基づく画像形成を行う画像形成装置であって、
前記原稿を前記コンタクトガラス面に押し付ける原稿押え板と、
該原稿押え板を支持すると共に画像形成装置の本体に対して開閉可能に設置されるフレーム部と、
前記原稿押え板を前記フレーム部に対して着脱可能とする吸着パッドと
を備えることを特徴とする画像形成装置。
【請求項２】
前記吸着パッドが弾性体からなることを特徴とする請求項１記載の画像形成装置。
【請求項３】
前記吸着パッドが全方向に対する柔軟性を有することを特徴とする請求項２記載の画像形成装置。
【請求項４】
前記吸着パッドを複数備えることを特徴とする請求項１〜３いずれかに記載の画像形成装置。
【請求項５】
前記吸着パッドは、前記フレーム部に対して固定されると共に前記原稿押え板に対して着脱可能とされていることを特徴とする請求項１〜４いずれかに記載の画像形成装置。
【請求項６】
前記吸着パッドは、リップ部から突起する突起部を備えることを特徴とする請求項
１〜５いずれかに記載の画像形成装置。
【発明の詳細な説明】
【技術分野】
【０００１】
本発明は、コンタクトガラス面上に載置された原稿の画像情報を取得して当該画像情報に基づく画像形成を行う画像形成装置に関するものである。
【背景技術】
【０００２】
複写機等の画像形成装置においては、コンタクトガラス面上に載置された原稿の画像情報を取得して当該画像情報に基づく画像形成を行っている。
コンタクトガラス面に対する原稿の浮き上がりが生じると、原稿の画像情報を正しく読み取れないため、原稿の画像情報を正しく取得するためには、原稿をコンタクトガラス面に対して押さえつける必要がある。
このため、画像形成装置では、コンタクトガラス上において開閉可能に取り付けられたフレームに設置される原稿押え板により、原稿をコンタクトガラス面に対して押さえつけられるように構成されている。
【０００３】
このような原稿押え板は、上記フレームによって支持されているが、メンテナンスの容易性等を考慮して、フレームに対して着脱可能とされていることが好ましい。
例えば、特許文献１及び特許文献２には、複数の面ファスナによって、原稿押え板をフレームに対して着脱可能とする構成が記載されている。
【特許文献１】特開２００２−３５０９９７号公報
【特許文献２】特開２００３−６６５４５号公報
【発明の開示】
【発明が解決しようとする課題】
【０００４】
しかしながら、面ファスナは、長時間使用による形状変化が大きく、フレームに対する原稿押え板の長時間に亘る安定配置は難しい。
また、面ファスナは、フック部とループ部とで対をなすものであり、一度フック部とループ部とをフレームと原稿押え板とに固定すると、それ以後、フック部とループ部との位置関係によって、フレームと原稿押え板との位置関係が固定されてしまう。
このため、従来の画像形成装置においては、例えば面ファスナが経時変化に応じて、フレームと原稿押え板との位置関係を柔軟に変化させることが難しい。
【０００５】
本発明は、上述する問題点に鑑みてなされたもので、フレームと原稿押え板との着脱が容易であると共にフレームに対する原稿押え板の配置の自由度を向上させることを目的とする。
【課題を解決するための手段】
【０００６】
上記目的を達成するために、本発明は、コンタクトガラス面上に載置された原稿の画像情報を取得して当該画像情報に基づく画像形成を行う画像形成装置であって、上記原稿を上記コンタクトガラス面に押し付ける原稿押え板と、該原稿押え板を支持すると共に画像形成装置の本体に対して開閉可能に設置されるフレーム部と、上記原稿押え板を上記フレーム部に対して着脱可能とする吸着パッドとを備えることを特徴とする。
【０００７】
また、本発明においては、上記吸着パッドが弾性体からなるという構成を採用する。
【０００８】
また、本発明においては、上記吸着パッドが全方向に対する柔軟性を有するという構成を採用する。
【０００９】
また、本発明においては、上記吸着パッドを複数備えるという構成を採用する。
【００１０】
また、本発明においては、上記吸着パッドは、上記フレーム部に対して固定されると共に上記原稿押え板に対して着脱可能とされているという構成を採用する。
【００１１】
また、本発明においては、上記吸着パッドは、リップ部から突起する突起部を備えるという構成を際様する。
【発明の効果】
【００１２】
本発明によれば、吸着パッドによってフレームと原稿押え板とが着脱可能とされている。吸着パッドは、フレームあるいは原稿押え板の任意の箇所に吸着させることができるため、フレームに対して原稿押え板を任意の箇所に配置することができると共に、その脱離は容易である。
したがって、本発明によれば、フレームと原稿押え板との着脱が容易であると共にフレームに対する原稿押え板の配置の自由度を向上させることができる。
【発明を実施するための最良の形態】
【００１３】
以下、図面を参照して、本発明に係る画像形成装置の一実施形態について説明する。なお、以下の図面において、各部材を認識可能な大きさとするために、各部材の縮尺を適宜変更している。また、以下の説明においては、本発明の画像形成装置の一実施形態として複写機を挙げて説明する。
【００１４】
図１は、本実施形態の複写機の機能構成を示すブロック図である。また、図２は、本実施形態の複写機の概略構成を示す断面図である。
図１に示すように、複写機Ｓ１は、表示操作部１、画像読取部２、画像記憶部３、画像処理部４、印刷部５及び制御部６を備えている。
【００１５】
表示操作部１は、ユーザと複写機Ｓ１とを関係付けるマンマシンインタフェースとして装置の前面に設置される（図２においては不図示）ものであり、タッチパネル１ａ及び操作キー１ｂを備えている。
タッチパネル１ａは、表示面に抵抗膜方式等の透明な面状押圧センサを設けた表示パネルであり、ユーザに提供する情報の表示を行うと共に、ユーザの操作に基づく操作信号を出力する。
操作キー１ｂは、例えば電源ボタンやコピー開始ボタン等の、タッチパネル１ａに表示される操作ボタン以外の操作キー（ハードウェアキー）であり、ユーザの操作に基づく操作信号を出力する。
【００１６】
画像読取部２は、制御部６から入力される制御指令に基づいて、ＡＤＦ（Auto Document Feeder）によって自動給紙される原稿あるいはコンタクトガラス２ａの上面に載置された原稿の画像情報をラインセンサで読み取って原稿画像データに変換するものであり、この原稿画像データを出力するものである。
この画像読取部２は、図２に示すように、複写機Ｓ１の上部を構成するものであり、コンタクトガラス２ａと、複写機Ｓ１の本体に対して開閉可能に設置されると共に原稿をコンタクトガラス２ａに対して押さえつけるための原稿押え機構２ｂとを備えている。
【００１７】
図３及び図４は、原稿押え機構２ｂのより具体的な構成を示した斜視図であり、図３が原稿押え板２ｄを原稿圧板２ｃによって支持している様子を示し、図３が原稿押え板２ｄを原稿圧板２ｃから取り外している様子を示している。
これらの図に示すように、原稿押え機構２ｂは、原稿圧板２ｃ（フレーム部）と、原稿押え板２ｄと、吸着パッド２ｅとを備えている。
【００１８】
原稿圧板２ｃは、図２に示すように、ヒンジ部２ｆを介して複写機Ｓ１の本体に接続されることによって、複写機Ｓ１の本体に対して開閉可能に設置されている。この原稿圧板２ｃを開けることによって、コンタクトガラス２ａの上面が露出される。
そして、原稿圧板２ｃは、複数の吸着パッド２ｅを介して原稿押え板２ｄを支持する。
【００１９】
原稿押え板２ｄは、コンタクトガラス２ａの上面に載置された原稿をコンタクトガラス２ａの上面に押し付けるものであり、原稿の形状に追従可能なように可撓性を有する板材により構成されている。なお、原稿押え板２ｄの表面は、吸着パッド２ｅが吸着可能なように平らな面とされている。
【００２０】
吸着パッド２ｅは、原稿押え板２ｄを原稿圧板２ｃに対して着脱可能とするものであり、図４に示すように、原稿圧板２ｃの４隅に対して固定されている。
図５及び図６は、吸着パッド２ｅの拡大図である。なお、図５が吸着パッド２ｅの平面図であり、図６が吸着パッド２ｅの側面図である。
【００２１】
図５及び図６に示すように、吸着パッド２ｅは、全体が樹脂等の弾性体から形成されており、原稿押え板２ｄの上面に対して真空吸着するリップ部２ｇと、該リップ部２ｇと原稿圧板２ｃとを接続するダンパ部２ｈと、リップ部２ｇの縁部から突起される吸着解除突起２ｉとを備えている。
【００２２】
ダンパ部２ｈは、内部が中空とされることにより、全方向に対する柔軟性を有しており、このようなダンパ部２ｈにより、吸着パッド２ｅ全体が全方向に対する柔軟性を有している。
吸着解除突起２ｉは、作業者が摘んで持ち上げることにより、リップ部２ｇの内部に空気を流入させ、これによって容易にリップ部２ｇにおける吸着を解除可能とするものである。
【００２３】
このような構成を有する原稿押え機構２ｂによれば、図７に示すように、原稿がコンタクトガラス２ａの上面に載置された状態にて、原稿圧板２ｃを閉じることによって、原稿圧板２ｃの重量が原稿押え板２ｄを介して原稿に作用すると共に原稿押え板２ｄが原稿の形状に追従する。これによって、原稿がコンタクトガラス２ａの上面に略均一な圧力にて押し付けられる。
【００２４】
このように、本実施形態の複写機Ｓ１によれば、吸着パッド２ｅによって原稿圧板２ｃと原稿押え板２ｄとが着脱可能とされている。吸着パッド２ｅは、原稿押え板２ｄの任意の箇所に吸着させることができるため、原稿圧板２ｃに対して原稿押え板２ｄを任意の箇所に配置することができると共に、その脱離は容易である。
したがって、本実施形態の複写機Ｓ１によれば、原稿圧板２ｃと原稿押え板２ｄとの着脱が容易であると共に原稿圧板２ｃに対する原稿押え板２ｄの配置の自由度を向上させることができる。
【００２５】
なお、コンタクトガラス２ａは、複写機Ｓ１の筐体に対して上方から嵌めこまれることによって支持されている。このコンタクトガラス２ａは、筐体に対して固定されておらず、持ち上げることによって筐体から分離可能とされている。しかしながら、コンタクトガラス２ａを筐体から分離するのは一般的にメンテナンス時のみであるため、通常時にコンタクトガラス２ａが容易に分離されないように、コンタクトガラス２ａは、筐体の上面に形成されるコンタクトガラス２ａと略同一の開口に筐体の上面と面一となるように嵌めこまれている。このため、メンテナンス時においてコンタクトガラス２ａを筐体から分離するためには、専用の冶具が必要になると共に、コンタクトガラス２ａを傷つける虞がある。
これに対して、本実施形態の複写機Ｓ１においては、吸着パッド２ｅが原稿圧板２ｃに固定されているため、原稿押え板２ｄを取り外した状態においては吸着パッド２ｅのリップ部２ｇが露出され、この状態で原稿圧板２ｃを閉じることによって、吸着パッド２ｅにてコンタクトガラス２ａを吸着することができる。このため、吸着パッド２ｅにてコンタクトガラス２ａが吸着された状態にて原稿圧板２ｃを開けることによって、容易にコンタクトガラス２ａを取り外すことができる。
したがって、本実施形態の複写機Ｓ１によれば、専用の冶具等を使うことなく、かつコンタクトガラス２ａを傷つける虞なくコンタクトガラス２ａを筐体から取り外すことができる。
【００２６】
また、本実施形態の複写機Ｓ１においては、吸着パッド２ｅの全体が弾性体によって形成されている。このため、吸着パッド２ｅを射出成型等によって容易に一体形成することができる。
また、本実施形態の複写機Ｓ１においては、吸着パッド２ｅが全方向に対する柔軟性を有している。このため、原稿の形状に対する原稿押え板２ｄの追従性を向上させることが可能となる。
【００２７】
また、本実施形態の複写機Ｓ１においては、吸着パッド２ｅを複数備えている。このため、原稿押え板２ｄを安定して吸着支持することが可能となる。
【００２８】
図１に戻り、画像記憶部３は、半導体メモリあるいはハードディスク装置等であり、制御部６から入力される制御指令に基づいて、画像読取部２から入力される上記原稿画像データを記憶すると共に当該原稿画像データを読み出して出力する。
【００２９】
画像処理部４は、制御部６から入力される制御指令に基づいて、画像記憶部３から入力される原稿画像データを印刷形式の画像データに変換して出力するものであり、必要に応じて原稿画像データに各種画像処理を施して印刷形式の画像データに変換する。
【００３０】
印刷部５は、制御部６から入力される制御指令に基づいて用紙カセット７あるいは給紙トレー８（図２参照）から給紙される記録用紙に印刷（画像形成）を行うものであり、複写機Ｓ１の略中央部を構成している。
この印刷部５は、図２に示すように、感光体ドラム１０、帯電器２０、レーザスキャニングユニット３０、現像装置４０、クリーニングユニット５０及び定着装置７０を備えている。
【００３１】
感光体ドラム１０は、円柱に形状設定されると共に図２の紙面奥行き方向に延在して配置されており、その周面に静電潜像及び該静電潜像に基づくトナー像が形成されるものである。
帯電器２０は、感光体ドラム１０に対して対向配置されており、感光体ドラム１０の周面を帯電状態とするものである。
レーザスキャニングユニット３０は、感光体ドラム１０の上方に配置されており、印刷形式の画像データに基づいて射出されるレーザ光を感光体ドラム１０の周面において走査するものである。
そして、帯電器２０によって感光体ドラム１０の周面が帯電され、レーザスキャニングユニット３０によって帯電された感光体ドラム１０の周面にレーザ光が走査されることで、感光体ドラム１０の周面に、印刷形式の画像データに基づく静電潜像が形成される。
【００３２】
現像装置４０は、感光体ドラム１０の周面に対してトナーを供給することによって感光体ドラム１０の周面上に静電潜像に基づく画像を現像するものであり、感光体ドラム１０に対向配置される。
現像装置４０は、感光体ドラム１０にトナーを供給する現像器４１と、該現像器４１に補給するトナーを収容するコンテナ４２とが接続された構成を有する。
【００３３】
クリーニングユニット５０は、感光体ドラム１０から記録用紙にトナー像が転写された後に、感光体ドラム１０に残存するトナーを除去するものであり、感光体ドラム１０に対向配置される。
【００３４】
定着装置７０は、熱及び圧力をトナー像に加えることによって、トナー像を記録用紙に対して定着させるものであり、記録用紙の搬送経路であって、現像装置４０の後流側に配置されている。
【００３５】
図１に戻り、制御部６は、本実施形態の複写機Ｓ１の全体の制御を行うものであり、表示操作部１、画像読取部２、画像記憶部３、画像処理部４及び印刷部５と電気的に接続されている。
【００３６】
以上のような構成を有する本実施形態の複写機Ｓ１においては、制御部６の制御の下、ユーザの表示操作部１の操作に基づいて、画像読取部２にセットされた原稿の画像データが読み込まれ、読み込まれた画像データが画像記憶部３に記憶される。画像記憶部３に記憶された画像データは、画像処理部４において印刷形式の画像データに変換され印刷部５に入力する。そして、印刷部５では、画像処理部４から入力された印刷形式の画像データに基づいて印刷用紙への画像形成が行われる。その後、画像が形成された印刷用紙が印刷物として複写機Ｓ１の外部に排出される。
【００３７】
以上、本発明の実施形態について図面を参照して詳説したが、具体的な構成は、上記実施形態に限定されるものではなく、本発明の要旨を逸脱しない範囲において設計変更等が可能である。
【００３８】
例えば、上記実施形態においては、本発明の画像形成装置の一例として複写機を挙げて説明した。
しかしながら、画像形成装置がファクシミリや複合機等であっても良い。  
【００３９】
また、本発明の画像形成装置は、色ごとの感光体ドラムを備えるいわゆるタンデム方式の複写機や、円筒形に配列された４つ現像装置を用いて単一の感光体ドラムに対して現像を行ういわゆる４サイクル方式の複写機に適用することもできる。
【００４０】
また、本発明の画像形成装置は、感光体ドラムに現像されたトナー像を一旦中間転写体に転写し、当該中間転写体から記録用紙にトナー像を転写する複写機に適用することもできる。
【００４１】
また、上記実施形態においては、吸着パッド２ｅの全体が弾性体から形成され、さらにダンパ部２ｈが全方向に対する柔軟性を有することによって、吸着パッド２ｅの全体が全方向に対する柔軟性を有する構成について説明した。
しかしながら、本発明はこれに限定されるものではなく、ダンパ部２ｈに換えて板バネやコイルバネを設置しても良い。
【００４２】
また、上記実施形態においては、吸着パッド２ｅが原稿圧板２ｃに対して固定されている構成について説明した。
しかしながら、本発明はこれに限定されるものではなく、吸着パッド２ｅを原稿押え板２ｄに対して固定しても良い。
また、両側にリップ部を有する吸着パッドを用いることにより、吸着パッドを原稿圧板２ｃ及び原稿押え板２ｄの両方に対して着脱可能としても良い。
【００４３】
また、上記実施形態においては、４つの吸着パッド２ｅを備える構成について説明した。
しかしながら、本発明はこれに限定されるものではなく、吸着パッドが単一あるいはさらに多数設置される構成を採用しても良い。
【００４４】
また、上記実施形態においては、原稿押え板２ｄの全面が平面である構成について説明した。
しかしながら、本発明はこれに限定されるものではなく、吸着パッド２ｅに吸着される領域のみが平面であれば良く、他の領域が必ずしも平面である必要はない。
【図面の簡単な説明】
【００４５】
【図１】本発明の一実施形態における複写機の機能構成を示すブロック図である。
【図２】本発明の一実施形態における複写機の概略構成を示す断面図である。
【図３】本発明の一実施形態における複写機が備える原稿押え機構の斜視図である。
【図４】本発明の一実施形態における複写機が備える原稿押え機構の斜視図である。
【図５】本発明の一実施形態における複写機が備える吸着パッドの平面図である。
【図６】本発明の一実施形態における複写機が備える吸着パッドの側面図である。
【図７】本発明の一実施形態における複写機が備える原稿押え機構によって原稿を押えている様子を示す図である。
【符号の説明】
【００４６】
Ｓ１……複写機（画像形成装置）、２ａ……コンタクトガラス、２ｂ……原稿押え機構、２ｃ……原稿圧板（フレーム）、２ｄ……原稿押え板、２ｅ……吸着パッド、２ｆ……ヒンジ部、２ｇ……リップ部、２ｈ……ダンパ部、２ｉ……吸着解除突起（突起部）
【図１】
2009134133.tif 000003
【図２】
2009134133.tif 000004
【図３】
2009134133.tif 000005
【図４】
2009134133.tif 000006
【図５】
2009134133.tif 000007
【図６】
2009134133.tif 000008
【図７】
2009134133.tif 000009